(57)【特許請求の範囲】
【請求項１】
冷却器によって冷却された空気が通流する冷気通路と、該冷気通路に接続された冷却室と、該冷却室及び冷却器の間にて前記冷気通路を開閉する開閉弁と、前記冷気通路に配置されており、前記冷却室に送風する送風機と、前記冷却室の温度を検出する温度センサとを備える冷蔵庫において、
前記温度センサがＴ１以上の温度を検出した場合に、前記開閉弁を開放するとともに前記送風機を所定の回転数で駆動し、前記温度センサが前記Ｔ１よりも低いＴ２以下の温度を検出した場合に、前記開閉弁を閉鎖するとともに前記送風機を停止するようにしてあり、
前記開閉弁の開放後に、前記温度センサが前記Ｔ１を検出した時点から前記Ｔ２を検出した時点までの時間を計測し、計測した時間が所定時間未満である場合に、前記送風機の次回駆動時の回転数を前記所定の回転数よりも低下させるようにしてあること
を特徴とする冷蔵庫。
【請求項２】
前記開閉弁の開放後に、前記温度センサが前記Ｔ１以上の温度を第２の所定時間検出した場合に、前記送風機の回転数を高くするようにしてあること
を特徴とする請求項１に記載の冷蔵庫。
【請求項３】
前記温度センサが前記Ｔ１よりも高いＴ３を検出した場合に、前記送風機の回転数を高くするようにしてあること
を特徴とする請求項１又は２に記載の冷蔵庫。
【請求項４】
冷却器を冷却する圧縮機と、
前記冷却器によって冷却された空気が通流する冷気通路と、
該冷気通路に設けられた開閉弁を介して接続された第１冷却室と、
前記冷気通路に接続されており、前記第１冷却室よりも低温に冷却される第２冷却室と、
前記冷気通路に配置されており、前記第２冷却室に送風するとともに前記開閉弁を介して前記第１冷却室に送風する送風機と、
前記第１冷却室の温度を検出する第１温度センサと、
前記第２冷却室の温度を検出する第２温度センサと
を備え、
前記第１温度センサがＴ１以上の温度を検出した場合に、前記開閉弁を開放し、前記第１温度センサが前記Ｔ１よりも低いＴ２以下の温度を検出した場合に、前記開閉弁を閉鎖するようにしてあり、
前記開閉弁の開放後に、前記第１温度センサが前記Ｔ１を検出した時点から前記Ｔ２を検出した時点までの時間を計測し、計測した時間が所定時間未満である場合に、前記送風機の回転数を低下させるようにしてあり、
前記第２温度センサが前記Ｔ２よりも低いＴ４以上の温度を検出した場合に、前記圧縮機の回転数を高くし、前記第２温度センサが前記Ｔ４よりも低いＴ５以下を検出した場合に、前記圧縮機の回転数を低下させるようにしてあること
を特徴とする冷蔵庫。
【請求項５】
前記第２温度センサが前記Ｔ４以上の温度を第３の所定時間検出した場合に、前記圧縮機の回転数を高くするようにしてあること
を特徴とする請求項４に記載の冷蔵庫。
【発明の詳細な説明】
【技術分野】
【０００１】
本発明は、収容された物体を冷蔵又は冷凍する冷蔵庫に関する。
【背景技術】
【０００２】
直冷式の冷蔵庫に比べて、精度良く庫内の温度調節が可能なファン式の冷蔵庫は一般に広く使用されている。ファン式の冷蔵庫は、冷却器が設置された冷気通路と、該冷気通路に連通した冷蔵室と、冷却器及び冷蔵室の間において冷気通路に設けられたダンパと、該ダンパ及び冷却器の間において冷気通路に設けられており、冷蔵室に送風する送風機とを備える（例えば特許文献１参照）。特許文献１に記載の冷蔵庫は、ダンパの開度を段階的に変更し、冷蔵室内の温度を所定の温度範囲に収めている。
【０００３】
特許文献２に記載の冷蔵庫は、冷却通路から冷気が供給される区画室を冷蔵室とは別に有しており、区画室に空気を送風する補助送風機を備える。冷蔵庫は、区画室の温度に応じて補助送風機の回転数を変更し、区画室の温度を所定の温度範囲に収めている。
【先行技術文献】
【特許文献】
【０００４】
【特許文献１】特開平１０−３８４３５号公報
【特許文献２】特開昭６０−２３２４６８号公報
【発明の概要】
【発明が解決しようとする課題】
【０００５】
近年、特定の温度（例えば０℃）に冷蔵室の温度を収束させること要望されている。この場合、特定の温度を中心にした非常に狭い温度範囲内に冷蔵室の温度を収束させる必要がある。
【０００６】
しかし、狭い温度範囲内に収束させるためには、特許文献１に記載の冷蔵庫はダンパを頻繁に駆動させることになり、ダンパの信頼性を維持することが難しい。一方、特許文献２に記載の冷蔵庫のように、温度に応じて送風機の回転数を単純に変更するだけでは、冷蔵室の温度のハンチングが大きくなり易く、狭い温度範囲内に冷蔵室の温度を収束させることが難しい。
【０００７】
本発明は係る事情に鑑みてなされたものであり、信頼性を維持し、狭い温度範囲に庫内の温度を収束させることができる冷蔵庫を提供することを目的とする。
【課題を解決するための手段】
【０００８】
本発明に係る冷蔵庫は、冷却器によって冷却された空気が通流する冷気通路と、該冷気通路に接続された冷却室と、該冷却室及び冷却器の間にて前記冷気通路を開閉する開閉弁と、前記冷気通路に配置されており、前記冷却室に送風する送風機と、前記冷却室の温度を検出する温度センサとを備える冷蔵庫において、前記温度センサがＴ１以上の温度を検出した場合に、前記開閉弁を開放し、前記温度センサが前記Ｔ１よりも低いＴ２以下の温度を検出した場合に、前記開閉弁を閉鎖するようにしてあり、前記開閉弁の開放後に、前記温度センサが前記Ｔ１を検出した時点から前記Ｔ２を検出した時点までの時間を計測し、計測した時間が所定時間未満である場合に、前記送風機の回転数を低下させるようにしてあることを特徴とする。
【０００９】
本発明に係る冷蔵庫は、前記開閉弁の開放後に、前記温度センサが前記Ｔ１以上の温度を第２の所定時間検出した場合に、前記送風機の回転数を高くするようにしてあることを特徴とする。
【００１０】
本発明に係る冷蔵庫は、前記温度センサが前記Ｔ１よりも高いＴ３を検出した場合に、前記送風機の回転数を高くするようにしてあることを特徴とする。
【００１１】
本発明に係る冷蔵庫は、前記冷却器を冷却する圧縮機と、前記冷気通路に接続されており、前記冷却室よりも低温に冷却される第２冷却室と、該第２冷却室の温度を検出する第２温度センサとを備え、前記第２温度センサが前記Ｔ２よりも低いＴ４以上の温度を検出した場合に、前記圧縮機の回転数を高くし、前記第２温度センサが前記Ｔ４よりも低いＴ５以下を検出した場合に、前記圧縮機の回転数を低下させるようにしてあることを特徴とする。
【００１２】
本発明に係る冷蔵庫は、前記第２温度センサが前記Ｔ４以上の温度を第３の所定時間検出した場合に、前記圧縮機の回転数を高くするようにしてあることを特徴とする。
【発明の効果】
【００１３】
本発明に係る冷蔵庫にあっては、開閉弁の開放後に、Ｔ１からＴ２に至るまでの時間を計測する。計測した時間が所定時間未満である場合、冷却室への冷気の送風量が多いので、送風機の回転数を低下させる。このように送風機の回転数を変更することによって、開閉弁を頻繁に開閉させることなく、狭い温度範囲に冷却室の温度を収束させることができる。
【図面の簡単な説明】
【００１４】
【図１】実施の形態１に係る冷蔵庫を略示する正面図である。
【図２】図１に示すＩＩ−ＩＩ線を切断線とした略示断面図である。
【図３】図１に示すＩＩＩ−ＩＩＩ線を切断線とした略示断面図である。
【図４】冷蔵庫の内部構造を略示する正面図である。
【図５】冷蔵庫内における空気の循環を説明する図２に対応した説明図である。
【図６】冷蔵庫内における空気の循環を説明する図３に対応した説明図である。
【図７】制御回路を示すブロック図である。
【図８】制御回路による狭温度範囲制御を説明するフローチャートである。
【図９】制御回路による狭温度範囲制御を説明するフローチャートである。
【図１０】制御回路による強制終了処理を説明するフローチャートである。
【図１１】実施の形態２に係る冷蔵庫の制御回路による保護処理を説明するフローチャートである。
【図１２】実施の形態３に係る冷蔵庫の制御回路による冷凍室温度制御処理を説明するフローチャートである。
【発明を実施するための形態】
【００１５】
（実施の形態１）
以下本発明を実施の形態１に係る冷蔵庫１を示す図面に基づいて説明する。図１は冷蔵庫１を略示する正面図、図２は図１に示すＩＩ−ＩＩ線を切断線とした略示断面図、図３は図１に示すＩＩＩ−ＩＩＩ線を切断線とした略示断面図、図４は冷蔵庫１の内部構造を略示する正面図である。なお図４において、右扉６ａ、左扉６ｂ、野菜室ケース４１、製氷室ケース３１、第１冷凍室ケース１１及び第２冷凍室ケース２１の記載は省略されている。また以下の説明では図に示された上下左右前後を使用する。
【００１６】
冷蔵庫１は正面が開口した縦長直方体状の外箱１ａと、該外箱１ａの内側に設けてあり、正面が開口した縦長直方体状の内箱１ｂとを備える。外箱１ａ及び内箱１ｂの間には発泡断熱材１ｃ、例えばウレタン発泡材が充填されている。
【００１７】
内箱１ｂの上部及び下部夫々に略水平な上断熱壁２及び下断熱壁３が設けてある。上断熱壁２は内箱１ｂの後面及び左右側面まで延びており、内箱１ｂ内の空間を上下に区切っている。下断熱壁３の右部分は内箱１ｂの後面及び右側面まで延びており、左部分の後部には開口３ａが設けてある。開口３ａによって、下断熱壁３の上下の空間は連通している。
【００１８】
上断熱壁２及び下断熱壁３の間に、内箱１ｂの左側面から略水平に所定距離突出した部分断熱壁４が設けてある。部分断熱壁４の左右寸法は内箱１ｂの左右寸法の４０％程度である。部分断熱壁４の前後寸法は左右寸法の２５％程度であり、部分断熱壁４の後端面から内箱１ｂの後面まで開口４ａが形成されている。開口４ａによって、部分断熱壁４の上下の空間は連通している。
【００１９】
部分断熱壁４の右端部には、略垂直な縦断熱壁５が設けてある。縦断熱壁５は、下断熱壁３の右部分（非開口部分）の上に位置する。縦断熱壁５は、内箱１ｂの後面、上断熱壁２及び下断熱壁３の右部分まで延びており、上断熱壁２及び下断熱壁３の間において、内箱１ｂ内の空間を左右に区切っている。上断熱壁２、下断熱壁３、部分断熱壁４及び縦断熱壁５夫々の内部には発泡断熱材、例えばウレタン発泡材が充填されている。
【００２０】
内箱１ｂにおいて、上断熱壁２よりも上側の部分は収容された物体を冷蔵する冷蔵室６（冷却室）を形成している。冷蔵室６の室温は例えば２〜４℃程度に設定される。また受付部（図７参照）からの入力によって、冷蔵室６の室温は所定の温度（例えば略０℃）に設定される。下断熱壁３よりも下側の部分は収容された物体を冷凍する第１冷凍室１０（第２冷却室）を形成している。第１冷凍室１０の室温は例えば−１８℃以下になるように設定される。
【００２１】
内箱１ｂにおいて、下断熱壁３よりも上側且つ部分断熱壁４よりも下側であって、縦断熱壁５よりも左側の部分は、収容された物体を冷凍する第２冷凍室２０を形成している。また部分断熱壁４よりも上側且つ上断熱壁２よりも下側であって、縦断熱壁５よりも左側の部分は氷を製造する製氷室３０を形成している。第２冷凍室２０及び製氷室３０の室温は例えば−１８℃以下になるように設定される。なお製氷室３０は冷凍室の一種である。
【００２２】
下断熱壁３よりも上側且つ上断熱壁２よりも下側であって、縦断熱壁５よりも右側の部分は、野菜等の物体を冷蔵する野菜室４０を形成している。野菜室４０の室温は例えば７〜１０℃程度に設定される。なお野菜室４０は冷蔵室の一種である。
【００２３】
冷蔵室６内の上部には複数（本実施例においては三つ）の板状の収容棚７、７、７が上下に並設してある。冷蔵室６の左右側面夫々に複数の収容棚７に対応した前後に延びる案内レール７ａが設けてある。該案内レール７ａに、収容棚７は前後に摺動可能に設けられている。収容棚７は冷蔵室６の後側に位置し、収容棚７の前側には、後述する収納ポケット６ｃが配置される所定の空間が確保されている。
【００２４】
冷蔵室６の底部右側には右チルド室８ａが設けてあり、該右チルド室８ａの左側には左チルド室８ｂが設けてある。該左チルド室８ｂの左側には製氷室３０に供給する水を貯留するタンク９が設けてある。右チルド室８ａ、左チルド室８ｂ及びタンク９は冷蔵室６の底部後側に位置する。冷蔵室６の底部前側には、後述する収納ポケット６ｃが配置される所定の空間が確保されている。また冷蔵室６の底部の前側部分に、上断熱壁２を上下に貫通しており、冷蔵室６内の空気を下方に通流させるための通流孔２ａが設けてある。
【００２５】
冷蔵室６の前右縁部及び前左縁部に、上下方向を回転軸方向として回動可能な右扉６ａ及び左扉６ｂが夫々設けてある。右扉６ａ及び左扉６ｂは上下に長い矩形状をなし、右扉６ａ及び左扉６ｂ夫々の上下寸法は冷蔵室６の上下寸法よりも若干大きい。また右扉６ａの左右寸法は左扉６ｂの左右寸法よりも若干大きく、右扉６ａ及び左扉６ｂの左右寸法の合計は冷蔵室６の左右寸法よりも若干大きい。右扉６ａ及び左扉６ｂによって、冷蔵室６の正面開口部分は覆われる。右扉６ａ及び左扉６ｂの縁部分にはパッキンが設けてあり、右扉６ａ及び左扉６ｂは冷蔵室６の正面開口部分を気密に閉じる。
【００２６】
右扉６ａ及び左扉６ｂ夫々の後面には、物体（例えば瓶、缶又はチューブ容器入りの食品等）を収納する複数（本実施例においては三つ）の収納ポケット６ｃ、６ｃ、６ｃが設けてある。収納ポケット６ｃは上側が開口した箱形をなす。最下位置にある収納ポケット６ｃは右扉６ａ及び左扉６ｂが閉じている場合に、冷蔵室６の底部前側の空間に位置し、最下位置にある収納ポケット６ｃよりも上側の収納ポケット６ｃは、収容棚７の前側の空間に位置する。
【００２７】
第１冷凍室１０の後部には、後述する排出口４０ａに連通し、野菜室４０内の空気を下側に戻す戻りダクト１４が設けてある。戻りダクト１４は上下に延びている。第１冷凍室１０には、扉と一体的に移動し上側が開口する第１冷凍室ケース１１が前後に摺動可能に設けられている。第１冷凍室１０の左右側面夫々に、前後に延びた案内溝１０ａが設けてあり、第１冷凍室ケース１１の左右側面には、前記案内溝１０ａ内を移動する被案内部（図示略）が設けてある。
【００２８】
第２冷凍室２０には、扉と一体的に移動し上側が開口する第２冷凍室ケース２１が前後に摺動可能に設けられている。第２冷凍室２０の左側面に、前後に延びた案内溝２０ａが設けてあり、第２冷凍室ケース２１の左右側面夫々には、前記案内溝２０ａ内を移動する被案内部（図示略）が設けてある。
【００２９】
製氷室３０には扉と一体的に移動し上側が開口する製氷室ケース３１が前後に摺動可能に設けられている。製氷室３０の左右側面夫々に、前後に延びた案内溝３０ａが設けてあり、製氷室ケース３１の左側面には、前記案内溝３０ａ内を移動する被案内部（図示略）が設けてある。製氷室３０はタンク９の下側に位置する。製氷室ケース３１の上部には製氷皿３２が設けてあり、タンク９から製氷皿３２に適宜水が供給され、氷が製造される。
【００３０】
野菜室４０には扉と一体的に移動し上側が開口する野菜室ケース４１が前後に摺動可能に設けられている。図４に示すように、野菜室４０の左右側面夫々には、前後に延設されており、野菜室ケース４１を案内する案内レール４２が設けてある。案内レール４２は、前側が開口した側面視Ｕ形をなす。また野菜室４０の左側面において、案内レール４２の上側及び下側夫々に薄型のヒータ４３が設けてある。制御回路からの指令に基づいて、ヒータ４３は駆動又は停止する。
【００３１】
図２に示すように、野菜室４０の底面後部に、上下に貫通しており、空気を下方に排出する排出口４０ａが設けてある。野菜室４０の底面には、野菜室４０の底面全体を覆うダクト４４が設けられている。ダクト４４は平面視矩形の薄型箱状をなし、その底面は開口している。ダクト４４の前面には空気を吸入する複数の前面吸入口（図示略）が左右に並設されている。前面吸入口から吸い込まれた空気は排出口４０ａに至る。
【００３２】
野菜室ケース４１の左右側面の外側にはローラ又は摺動子等の移動部（図示略）が設けてあり、移動部はＵ形をなす案内レール４２の内側を移動する。野菜室ケース４１は移動部の移動によって、野菜室４０内を円滑に前後に移動する。野菜室ケース４１はダクト４４の上側に位置する。
【００３３】
図３に示すように、第１冷凍室１０、第２冷凍室２０、製氷室３０及び冷蔵室６の後部には上下に延びた後面板５０が設けてあり、該後面板５０と内箱１ｂとの間に冷気通路５１が形成されている。該冷気通路５１内において、第１冷凍室１０の後側には冷却器１２が設けてある。
【００３４】
該冷却器１２の下側に、冷却器１２に付着した霜を除去するためのガラス管ヒータ１３が設けてある。冷却器１２の上側には、第１冷凍室１０、第２冷凍室２０、製氷室３０及び後述する通気孔５５ａに冷気を送風するための冷凍室送風機５３が設けてある。冷却器１２及びガラス管ヒータ１３と後面板５０との間には、冷気通路５１を前後に分離する分離板５４が設けてある。
【００３５】
冷気通路５１内において、上断熱壁２の付近に冷気通路５１を上下に区切る隔壁部５５が設けてある。隔壁部５５には上下に貫通した通気孔５５ａが設けてある。隔壁部５５の上側には、通気孔５５ａを開閉する電動式のダンパ５６（開閉弁）が設けてある。ダンパ５６の上側には冷蔵室６に冷気を送風するための冷蔵室送風機５７が設けてある。冷気通路５１には、第１冷凍室１０、第２冷凍室２０及び製氷室３０夫々に対応する位置に冷凍用冷気供給孔５０ａが設けてあり、冷蔵室６に対応する位置に冷気を供給する冷蔵用冷気供給孔５０ｂが設けてある。
【００３６】
冷却器１２は、第１冷凍室１０、第２冷凍室２０及び製氷室３０の近傍に位置する。そのため、後面板５０及び分離板５４を介して、第１冷凍室１０、第２冷凍室２０及び製氷室３０の熱が冷却器１２に奪われ、第１冷凍室１０、第２冷凍室２０及び製氷室３０が効率よく間接冷却され、冷却効率が向上されるようになっている。
【００３７】
冷蔵室６の上部には上面板５０ｃが設けてあり、該上面板５０ｃと内箱１ｂとの間に、前記冷気通路５１に連通する上側冷気通路５１ａが形成されている。上側冷気通路５１ａにも冷蔵室６に冷気を供給する冷蔵用冷気供給孔５０ｂが設けてある。
【００３８】
第１冷凍室１０の底部後方には機械室６０が設けられている。機械室６０内には圧縮機６１が配置されている。圧縮機６１には凝縮器、膨張器（いずれも図示略）及び冷却器１２が接続されている。圧縮機６１の駆動によりイソブタン等の冷媒が循環して冷凍サイクルが運転される。これにより、冷却器１２が冷凍サイクルの低温側となる。
【００３９】
機械室６０の後側には電装部６２が設けられる。電装部６２は後面側が開口した電装ボックス（図示略）を有し、電装ボックスは金属板の絞り加工により形成され、放熱面積が大きく電装部６２品の発熱を容易に放熱できる。
【００４０】
電装部６２には圧縮機６１、冷凍室送風機５３、冷蔵室送風機５７及びダンパ５６等を制御する制御回路７０（図７参照）を有した制御基板を含む電装部品が内装される。電装部６２を機械室６０内に設置したので、冷蔵室６の後側に設置した場合に比して使用頻度の高い冷蔵室６の容積を広く確保し、冷蔵庫１の容積効率を向上して利便性を向上させることができる。
【００４１】
制御回路７０からの指令によって、圧縮機６１、冷凍室送風機５３及び冷蔵室送風機５７は駆動又は停止し、またダンパ５６は通気孔５５ａを開閉する。
【００４２】
次に冷蔵庫１内における空気の循環を説明する。図５は冷蔵庫１内における空気の循環を説明する図２に対応した説明図、図６は冷蔵庫１内における空気の循環を説明する図３に対応した説明図である。図５及び図６に記載された矢印は空気の流れを示している。
【００４３】
冷却器１２によって冷却された空気（冷気）は、冷凍室送風機５３の駆動によって、上方及び前方に送出される。送出された冷気は冷気通路５１を通流し、冷凍用冷気供給孔５０ａを通って、第１冷凍室１０、第２冷凍室２０及び製氷室３０に供給される。冷凍室送風機５３から送出された直後の冷気はマイナス２０℃以下であり、第１冷凍室１０、第２冷凍室２０及び製氷室３０は冷凍室送風機５３からの冷気で直接冷却されるので、第１冷凍室１０、第２冷凍室２０及び製氷室３０に貯蔵された物体は冷凍される。
【００４４】
ダンパ５６が開いている場合、冷蔵室送風機５７の駆動によって、冷気は上側の冷気通路５１を上方に通流し、冷蔵用冷気供給孔５０ｂを通って、冷蔵室６内に供給される。また上側冷気通路５１ａにも冷気は送出され、冷蔵用冷気供給孔５０ｂを通って、冷蔵室６内に供給される。上側冷気通路５１ａの冷蔵用冷気供給孔５０ｂを通って冷蔵室６内に供給された冷気は、収納ポケット６ｃに向けて移動し、収納ポケット６ｃに収容された物体を効率良く冷却する。冷蔵室６に供給される冷気は、第１冷凍室１０、第２冷凍室２０及び製氷室３０に供給される冷気よりも温度が高く、またダンパ５６によって冷気の量が制限されており、冷蔵室６の室温は２〜４℃程度になる。
【００４５】
冷蔵室６内に供給された冷気は、冷蔵室６の底部に設けた通流孔２ａを通って野菜室４０に至る。野菜室４０に供給される冷気は、冷蔵室６に供給される冷気よりも温度が高くなっており、野菜室４０の室温は７〜１０℃程度になる。野菜室４０に供給された冷気は、前面吸入口を通ってダクト４４内を通流し、排出口４０ａを通って戻りダクト１４を通流する。戻りダクト１４を通流した冷気は冷却器１２に至る。
【００４６】
図７は制御回路７０を示すブロック図である。制御回路７０はＣＰＵ(Central Processing Unit)７１、ＲＯＭ(Read Only Memory)７２、ＲＡＭ(Random Access Memory)７３、不揮発性メモリ７４、タイマ７５、入力インタフェース（入力Ｉ／Ｆ）７６及び出力インタフェース（入力Ｉ／Ｆ）７７を備える。
【００４７】
ＣＰＵ７１は、ＲＯＭ７２に記憶した制御プログラムをＲＡＭ７３に読み出して、冷蔵庫１の駆動を制御する。不揮発性メモリ７４には、ダンパ開温度（Ｔ１）、ダンパ閉温度（Ｔ２）及び時間ｔ１〜ｔ３等が記録されており、後述する経過時間等が記録される。なおダンパ開温度はダンパ閉温度よりも高い。タイマ７５は複数の計時処理を実行することができる。
【００４８】
冷蔵庫１は、ユーザの操作を受け付ける操作ボタン又はスイッチ等を有する受付部８０と、冷蔵室６の温度を検出する冷蔵室温度センサ８１（温度センサ）と、第１冷凍室１０の温度を検出する冷凍室温度センサ８２（第２温度センサ）とを備える。受付部８０、冷蔵室温度センサ８１及び冷凍室温度センサ８２の各出力信号は入力Ｉ／Ｆ７６に入力される。出力Ｉ／Ｆ７７から冷蔵室送風機５７、冷凍室送風機５３、圧縮機６１及びダンパ５６に駆動信号が出力される。
【００４９】
図８及び図９は制御回路７０による狭温度範囲制御を説明するフローチャートである。受付部８０から狭温度範囲制御の実行を受け付けた場合、制御回路７０は冷蔵室６の室温が狭い温度範囲に収まるように、冷蔵室送風機５７の回転数を制御する。例えば、冷蔵室６の室温が略０℃になるように冷蔵室送風機５７の回転数を制御する。なお初期状態において、ダンパ５６は閉じているものとする。
【００５０】
制御回路７０のＣＰＵ７１は、受付部８０からの入力信号を取り込み、狭温度範囲制御の実行指令を受け付けるまで待機する（ステップＳ１：ＮＯ）。狭温度範囲制御の実行指令を受け付けた場合（ステップＳ１：ＹＥＳ）、ＣＰＵ７１は、冷蔵室温度センサ８１の信号を取り込み、冷蔵室６の温度がダンパ開温度以上になるまで待機する（ステップＳ２：ＮＯ）。
【００５１】
冷蔵室６の温度がダンパ開温度以上になった場合（ステップＳ２：ＹＥＳ）、ＣＰＵ７１はダンパ５６に開信号を出力するとともに冷蔵室送風機５７を所定の回転数で駆動し（ステップＳ３）、タイマ７５をリセットする（ステップＳ４）。その後に、ＣＰＵ７１は冷蔵室温度センサ８１の信号を取り込み、冷蔵室６の温度がダンパ開温度未満であるか否かを判定する（ステップＳ５）。
【００５２】
冷蔵室６の温度がダンパ開温度未満である場合（ステップＳ５：ＹＥＳ）、ＣＰＵ７１はタイマ７５にて計時を開始する（ステップＳ６）。ＣＰＵ７１は冷蔵室温度センサ８１の信号を取り込み、冷蔵室６の温度がダンパ閉温度未満であるか否かを判定する（ステップＳ７）。
【００５３】
冷蔵室６の温度がダンパ閉温度未満である場合（ステップＳ７：ＹＥＳ）、ＣＰＵ７１はダンパ５６に閉信号を出力するとともに冷蔵室送風機５７を停止し（ステップＳ８）、計時を終了する（ステップＳ９）。ＣＰＵ７１は計時を開始してから終了するまでの経過時間をＲＡＭ７３や不揮発性メモリ７４に記録し（ステップＳ１０）、記録した経過時間と不揮発性メモリ７４に設定してある時間ｔ１〜ｔ３（ｔ１＜ｔ２＜ｔ３）とを比較する（ステップＳ１１）。比較結果に基づいて、ＣＰＵ７１は冷蔵室送風機５７の回転数を補正する（ステップＳ１２）。
【００５４】
例えば、経過時間がｔ１未満の場合、冷蔵室送風機５７の回転数を、現在の回転数から４００ｒｐｍ低くし、経過時間がｔ１以上ｔ２未満の場合、現在の回転数から２００ｒｐｍ低くする。また経過時間がｔ２以上ｔ３未満の場合、現在の回転数から１００ｒｐｍ低くし、経過時間がｔ３以上の場合、現在の回転数を維持する。そしてＣＰＵ７１はステップＳ２に処理を戻す。
【００５５】
ステップＳ５において、冷蔵室６の温度がダンパ開温度未満でない場合（ステップＳ５：ＮＯ）、ＣＰＵ７１はタイマ７５にて計時を開始し（ステップＳ１５）、冷蔵室温度センサ８１の信号を取り込み、冷蔵室６の温度がダンパ開温度以上であるか否かを判定する（ステップＳ１６）。
【００５６】
冷蔵室６の温度がダンパ開温度以上である場合（ステップＳ１６：ＹＥＳ）、ＣＰＵ７１はタイマ７５を参照して所定時間（例えば５分）が経過したか否かを判定する（ステップＳ１７）。所定時間が経過していない場合（ステップＳ１７：ＮＯ）、ＣＰＵ７１はステップＳ１６に処理を戻す。
【００５７】
所定時間が経過した場合（ステップＳ１７：ＹＥＳ）、ＣＰＵ７１はタイマ７５での計時を終了し（ステップＳ１８）、冷蔵室送風機５７の回転数を増加させる（ステップＳ１９）。回転数の増加方法としては、現在の回転数から所定回転数（例えば１００ｒｐｍ）高くすることが挙げられる。ＣＰＵ７１はタイマ７５をリセットし（ステップＳ２０）、ステップＳ５に処理を戻す。
【００５８】
冷蔵室６の温度がダンパ開温度以上でない場合（ステップＳ１６：ＮＯ）、ＣＰＵ７１は計時を終了し（ステップＳ２１）、ステップＳ２０に処理を進める。
【００５９】
冷蔵室６の温度が所定時間以上、ダンパ開温度以上を維持している場合、冷蔵室送風機５７の回転数を増加させることによって、冷蔵室６の冷却速度を高くすることができる。
【００６０】
ステップＳ７において、冷蔵室６の温度がダンパ閉温度未満でない場合（ステップＳ７：ＮＯ）、ＣＰＵ７１は、冷蔵室温度センサ８１の信号を取り込み、冷蔵室６の温度がダンパ開温度以上であるか否かを判定する（ステップＳ１３）。
【００６１】
冷蔵室６の温度がダンパ開温度以上でない場合（ステップＳ１３：ＮＯ）、ステップＳ７に処理を戻す。冷蔵室６の温度がダンパ開温度以上である場合（ステップＳ１３：ＹＥＳ）、タイマ７５における計時を終了し（ステップＳ１４）、ステップＳ４に処理を戻す。
【００６２】
制御回路７０は、狭温度範囲制御を実行している場合、所定時間（例えば２時間）経過後に強制的に狭温度範囲制御を終了させる強制終了処理を並列的に実行している。図１０は制御回路７０による強制終了処理を説明するフローチャートである。
【００６３】
ＣＰＵ７１は、受付部８０からの入力信号を取り込み、狭温度範囲制御の実行指令を受け付けるまで待機する（ステップＳ３１：ＮＯ）。狭温度範囲制御の実行指令を受け付けた場合（ステップＳ３１：ＹＥＳ）、ＣＰＵ７１は、所定時間を不揮発性メモリ７４に設定し（ステップＳ３２）、タイマ７５にて計時を開始する（ステップＳ３３）。
【００６４】
ＣＰＵ７１はタイマ７５を参照し、設定した所定時間が経過するまで待機する（ステップＳ３４：ＮＯ）。設定した所定時間が経過した場合（ステップＳ３４：ＹＥＳ）、ＣＰＵ７１は計時を終了し（ステップＳ３５）、狭温度範囲制御を終了させる（ステップＳ３６）。
【００６５】
ＣＰＵ７１は、狭温度範囲制御を所定時間実行し、その後、通常の運転に戻す。例えば飲料を冷やすために、略０℃に冷蔵室６の温度を収束させる場合、ユーザは狭温度範囲制御を選択することができる。狭温度範囲制御を所定時間（例えば２時間）実行した後は、通常の運転（例えば冷蔵室６の温度が２〜４℃程度になる運転）に戻し、冷蔵室６に収容されている他の食品が凍結することを防止し、他の食品の品質に影響を与えないようにする。
【００６６】
実施の形態１に係る冷蔵庫１にあっては、ダンパ５６の開放後に、ダンパ開温度を下回ってからダンパ閉温度に至るまでの時間を計測する。計測した時間が所定時間（ｔ１、ｔ２又はｔ３）未満である場合、冷蔵室６への冷気の送風量が多いので、冷蔵室送風機５７の回転数を低下させる。計測した時間がｔ３以上である場合、冷蔵室送風機５７の回転数を維持する。このように冷蔵室送風機５７の回転数を変更することによって、ダンパ５６を頻繁に開閉させることなく、狭い温度範囲に冷蔵室６の温度を収束させることができる。
【００６７】
また冷蔵室６の温度が所定時間継続的にダンパ開温度以上である場合には、冷蔵室送風機５７の回転数を高くして、冷蔵室６の冷却速度を高くする（ステップＳ１５〜Ｓ１９参照）。
【００６８】
なお受付部８０にて狭温度範囲制御の開始時刻を受け付ける構成としてもよい。開始時刻を受け付けた場合、ＣＰＵ７１は前記開始時刻から狭温度範囲制御を実行する。実施の形態１においては冷蔵室６全体の温度を制御しているが、右チルド室８ａ又は左チルド室８ｂ等のより小さい室の温度を制御してもよい。冷蔵室送風機５７を備えず、冷凍室送風機５３のみを備える場合には、冷狭温度範囲制御の制御対象は冷凍室送風機５３となる。
【００６９】
（実施の形態２）
以下本発明を実施の形態２に係る冷蔵庫を示す図面に基づいて説明する。制御回路７０は、ステップＳ２０の実行後、ステップＳ５に処理を戻す前に（図８及び図９参照）保護処理を実行する。図１１は制御回路７０による保護処理を説明するフローチャートである。なお不揮発性メモリ７４にはダンパ開温度（Ｔ１）よりも高い上限温度（Ｔ３）が設定されている。
【００７０】
ＣＰＵ７１は、冷蔵室温度センサ８１の信号を取り込み、冷蔵室６の温度が上限温度以上であるか否かを判定する（ステップＳ４１）。冷蔵室６の温度が上限温度以上でない場合（ステップＳ４１：ＮＯ）、ステップＳ５に処理を戻す。
【００７１】
冷蔵室６の温度が上限温度以上である場合（ステップＳ４１：ＹＥＳ）、ＣＰＵ７１は、冷蔵室送風機５７の回転数を増加させる（ステップＳ４２）。例えば、冷蔵室送風機５７に最高回転数で回転することを示す駆動信号を出力する。なお最高回転数は、狭温度範囲制御において冷蔵室送風機５７を回転させることができる最高値である。
【００７２】
ＣＰＵ７１は、冷蔵室温度センサ８１の信号を取り込み、冷蔵室６の温度がダンパ閉温度未満になるまで待機する（ステップＳ４３：ＮＯ）。冷蔵室６の温度がダンパ閉温度未満になった場合（ステップＳ４３：ＹＥＳ）、ＣＰＵ７１はダンパ５６を閉じ（ステップＳ４４）、ステップＳ２に処理を戻す。
【００７３】
なお、上記の保護処理は、ステップＳ５において冷蔵室６の温度がダンパ開温度未満でない場合（ステップＳ５：ＮＯ）の後に実行してもよい。この場合は、速やかに冷蔵室送風機５７の回転数を最高回転数とすることができるので、冷蔵室６の急激な温度上昇があっても即座に冷却能力を上げることができる。
【００７４】
冷蔵室６の温度が上限温度に到達している場合、ユーザが右扉６ａ又は左扉６ｂを長時間開けていた又は温度の高い食品が収容された等の理由で、冷蔵室６の温度が急激に上昇している可能性がある。実施の形態２に係る冷蔵庫１にあっては、冷蔵室６が上限温度に至った場合、冷蔵室送風機５７の回転数を増加させて、冷蔵室６を急速に冷却し、冷蔵室６に収容された食品を保護することができる。
【００７５】
実施の形態２に係る構成の内、実施の形態１と同様な構成については同じ符号を付し、その詳細な説明を省略する。
【００７６】
なお冷蔵室送風機５７を備えず、冷凍室送風機５３のみを備える場合には、冷狭温度範囲制御の制御対象は冷凍室送風機５３となる。
【００７７】
（実施の形態３）
以下本発明を実施の形態３に係る冷蔵庫１を示す図面に基づいて説明する。前述した実施の形態において、冷凍室送風機５３とは別に冷蔵室送風機５７を備えている場合は、冷蔵室を狭温度範囲制御している場合であっても冷凍室の温度制御には影響しない。しかし、例えば冷蔵室と冷凍室が１つずつしかない冷蔵庫などでは、冷蔵室送風機５７を備えない場合もある。この場合は冷凍室送風機５３の回転数を制御することで、ダンパ５６を頻繁に開閉させることなく、狭い温度範囲に冷蔵室６の温度を収束させることができる。以下の説明において引用される実施の形態１又は２に係る処理は、冷蔵室送風機５７に対する処理ではなく、冷凍室送風機５３に対する処理として理解される。
【００７８】
上述した狭温度範囲制御を実行している場合、冷凍室送風機５３の回転数の低下によって（ステップＳ２及びＳ１２参照）、冷凍室の温度が上昇するおそれがある。そのため以下に説明する冷凍室温度制御処理を並列的に実行することで、冷蔵室を狭温度範囲制御している場合であっても冷凍室の温度制御への影響を軽減することができる。
【００７９】
図１２は、制御回路７０による冷凍室温度制御処理を説明するフローチャートである。不揮発性メモリ７４には、ダンパ閉温度（Ｔ２）よりも低い回転数増加温度（Ｔ４）及び該回転数増加温度よりも低い回転数減少温度（Ｔ５）が記録されている。
【００８０】
ＣＰＵ７１は、冷凍室温度センサ８２の信号を取り込み、第１冷凍室１０の温度が回転数増加温度以上であるか否かを判定する（ステップＳ５１）。第１冷凍室１０の温度が回転数増加温度以上である場合（ステップＳ５１：ＹＥＳ）、ＣＰＵ７１は、圧縮機６１に回転数増加信号を出力する（ステップＳ５２）。例えば圧縮機６１の回転数を１００ｒｐｍ増加させる信号を出力する。圧縮機６１は、現在の回転数に１００ｒｐｍ加算した回転数で回転する。
【００８１】
ＣＰＵ７１は、タイマ７５を参照し、所定時間（例えば１０分）が経過するまで待機する（ステップＳ５３：ＮＯ）。所定時間が経過した場合（ステップＳ５３：ＹＥＳ）、ＣＰＵ７１は、冷凍室温度センサ８２の信号を取り込み、第１冷凍室１０の温度が回転数増加温度以上であるか否かを判定する（ステップＳ５４）。
【００８２】
第１冷凍室１０の温度が回転数増加温度以上である場合（ステップＳ５４：ＹＥＳ）、ＣＰＵ７１は回転数増加温度と冷凍室温度センサ８２にて検出された温度との差分を演算する（ステップＳ５５）。ＣＰＵ７１は演算した差分に基づいて、圧縮機６１に対する増分回転数を演算する（ステップＳ５６）。
【００８３】
増分回転数の演算は例えば以下のように実行される。温度差分と増分回転数とを対応付けて記録したＬＵＴ(Look Up Table)を不揮発性メモリ７４に予め記録しておき、前記ＬＵＴを参照して、増分回転数を決定する。例えば１℃の差分に対して１００ｒｐｍの増分回転数を対応させる。又は温度差分及び増分回転数に関する関数を不揮発性メモリ７４に予め記録しておき、演算した差分を前記関数に適用して、増分回転数を算出する。
【００８４】
ＣＰＵ７１は、演算した増分回転数を加算して回転することを示す信号を圧縮機６１に出力し（ステップＳ５７）、ステップＳ５３に処理を戻す。圧縮機６１は、演算した増分回転数を現在の回転数に加算して回転する。
【００８５】
ステップＳ５１において、第１冷凍室１０の温度が回転数増加温度以上でない場合（ステップＳ５１：ＮＯ）、ＣＰＵ７１は、第１冷凍室１０の温度が回転数減少温度未満であるか否かを判定する（ステップＳ５８）。第１冷凍室１０の温度が回転数減少温度未満でない場合（ステップＳ５８：ＮＯ）、ＣＰＵ７１はステップＳ５１に処理を戻す。
【００８６】
第１冷凍室１０の温度が回転数減少温度未満である場合（ステップＳ５８：ＹＥＳ）、ＣＰＵ７１は圧縮機６１に最低回転数で回転することを示す信号を出力し（ステップＳ６０）、ステップＳ５１に処理を戻す。なお最低回転数は、狭温度範囲制御において圧縮機６１を回転させることができる最低値である。
【００８７】
ステップＳ５４において、第１冷凍室１０の温度が回転数増加温度以上でない場合（ステップＳ５４：ＮＯ）、ＣＰＵ７１は、第１冷凍室１０の温度が回転数減少温度未満であるか否かを判定する（ステップＳ５９）。第１冷凍室１０の温度が回転数減少温度未満でない場合（ステップＳ５９：ＮＯ）、ＣＰＵ７１はステップＳ５４に処理を戻す。
【００８８】
第１冷凍室１０の温度が回転数減少温度未満である場合（ステップＳ５９：ＹＥＳ）、ＣＰＵ７１は圧縮機６１に最低回転数で回転することを示す信号を出力し（ステップＳ６０）、ステップＳ５１に処理を戻す。
【００８９】
実施の形態３に係る冷蔵庫１にあっては、冷凍室送風機５３の回転数が低下し（ステップＳ２及びＳ１２参照）、第１冷凍室１０の温度が回転数増加温度以上となった場合であっても、圧縮機６１の回転数を高くすることによって、第１冷凍室１０を冷却することができる。一方第１冷凍室１０の温度が回転数減少温度以下となった場合に、圧縮機６１の回転数を最低回転数にして第１冷凍室１０の冷却を緩和する。なお第１冷凍室１０の冷却及び冷却緩和によって、第２冷凍室２０及び製氷室３０も同様に冷却又は冷却緩和される。
【００９０】
また第１冷凍室１０の温度が回転数増加温度以上の温度を継続している場合、圧縮機６１の回転数を高くして、第１冷凍室１０の冷却速度を高くする。
【００９１】
このように、圧縮機６１の回転数と冷凍室送風機５３の回転数とを並列的に制御することで、冷蔵室６を狭温度範囲制御している場合であっても第１冷凍室１０の温度制御への影響を軽減することができる。また、第１冷凍室１０の温度が回転数減少温度以下となった場合に、圧縮機６１の回転数を最低回転数にすることで、圧縮機６１を停止することなく第１冷凍室１０の冷却を緩和する。したがって、ダンパ５６が閉じてから再び開くまでの時間が短くなる場合が起きても、圧縮機６１を再起動させる必要がないため速やかに冷蔵室６に冷気を供給することができ、冷蔵室６の狭温度範囲制御を確実に行うことができる。
【００９２】
なお、冷蔵室６の狭温度範囲制御が実行されていない場合は、第１冷凍室１０の温度が回転数減少温度以下となった場合に圧縮機６１を停止させてもよい。これにより、圧縮機６１の運転時間を短くでき冷蔵庫１の通常運転時の省電力化が可能となる。
【００９３】
なお第１冷凍室１０の温度が回転数減少温度以下となった場合に、圧縮機６１の回転数を最低回転数にしているが、第１冷凍室１０の温度が回転数減少温度以下になる都度、圧縮機６１の回転数を所定回転数（例えば１００ｒｐｍ）だけ低下させる構成であってもよいし、外気温を検出するセンサを設け、該センサにて検出された温度に基づいて回転数を算出し、算出した回転数に圧縮機６１の回転数を変更する構成であってもよい。
【００９４】
実施の形態３に係る構成の内、実施の形態１又は２と同様な構成については同じ符号を付し、その詳細な説明を省略する。
【００９５】
今回開示した実施の形態は、全ての点で例示であって、制限的なものではないと考えられるべきである。各実施例にて記載されている技術的特徴は互いに組み合わせることができ、本発明の範囲は、特許請求の範囲内での全ての変更及び特許請求の範囲と均等の範囲が含まれることが意図される。
【００９６】
以上の本発明の実施の形態に関し、更に以下の事項を開示する。
【００９７】
本発明に係る冷蔵庫１は、冷却器１２によって冷却された空気が通流する冷気通路５１と、該冷気通路５１に接続された冷却室６と、該冷却室６及び冷却器１２の間にて前記冷気通路５１を開閉する開閉弁５６と、前記冷気通路５１に配置されており、前記冷却室６に送風する送風機５７と、前記冷却室６の温度を検出する温度センサ８１とを備える冷蔵庫１において、前記温度センサ８１がＴ１以上の温度を検出した場合に、前記開閉弁５６を開放し、前記温度センサ８１が前記Ｔ１よりも低いＴ２以下の温度を検出した場合に、前記開閉弁５６を閉鎖するようにしてあり、前記開閉弁５６の開放後に、前記温度センサ８１が前記Ｔ１を検出した時点から前記Ｔ２を検出した時点までの時間を計測し、計測した時間が所定時間未満である場合に、前記送風機５７の回転数を低下させるようにしてあることを特徴とする。
【００９８】
本発明に係る冷蔵庫１は、前記開閉弁５６の開放後に、前記温度センサ８１が前記Ｔ１以上の温度を第２の所定時間検出した場合に、前記送風機５７の回転数を高くするようにしてあることを特徴とする。
【００９９】
本発明に係る冷蔵庫１は、前記温度センサ８１が前記Ｔ１よりも高いＴ３を検出した場合に、前記送風機の回転数を高くするようにしてあることを特徴とする。
【０１００】
本発明に係る冷蔵庫１は、前記冷却器１２を冷却する圧縮機６１と、前記冷気通路５１に接続されており、前記冷却室６よりも低温に冷却される第２冷却室１０と、該第２冷却室１０の温度を検出する第２温度センサ８２とを備え、前記第２温度センサ８２が前記Ｔ２よりも低いＴ４以上の温度を検出した場合に、前記圧縮機６１の回転数を高くし、前記第２温度センサ８２が前記Ｔ４よりも低いＴ５以下を検出した場合に、前記圧縮機６１の回転数を低下させるようにしてあることを特徴とする。
【０１０１】
本発明に係る冷蔵庫１は、前記第２温度センサ８２が前記Ｔ４以上の温度を第３の所定時間検出した場合に、前記圧縮機６１の回転数を高くするようにしてあることを特徴とする。
【符号の説明】
【０１０２】
１  冷蔵庫
６  冷蔵室（冷却室）
１０  第１冷凍室（第２冷却室）
１２  冷却器
５１  冷気通路
５３  冷凍室送風機
５６  ダンパ（開閉弁）
５７  冷蔵室送風機
６１  圧縮機
８１  冷蔵室温度センサ（温度センサ）
８２  冷凍室温度センサ（第２温度センサ）
７０  制御回路
７１  ＣＰＵ
７２  ＲＯＭ
７３  ＲＡＭ
７４  不揮発性メモリ
７５  タイマ
７６  入力インタフェース
７７  出力インタフェース
【図１】
0006429595.tif 000002
【図２】
0006429595.tif 000003
【図３】
0006429595.tif 000004
【図４】
0006429595.tif 000005
【図５】
0006429595.tif 000006
【図６】
0006429595.tif 000007
【図７】
0006429595.tif 000008
【図８】
0006429595.tif 000009
【図９】
0006429595.tif 000010
【図１０】
0006429595.tif 000011
【図１１】
0006429595.tif 000012
【図１２】
0006429595.tif 000013